(57)【要約】【課題】既設サッシ枠を構成する既設枠に下地材を簡単で短時間に取付けできる改装サッシとする。【解決手段】建物躯体１に残存した既設サッシ枠１０を構成する既設枠に下地材３０が取付けられ、この下地材３０に新設サッシ枠２０を構成する新設枠が固着してあり、前記下地材の室内側取付片と室外側取付片が既設枠の室内側内向板と室外側内向板との間に嵌合して支持して取付けてある改装サッシで、その下地材を既設枠に簡単で短時間に取付けできる。【選択図】図１
2005282054.tif 000002
【特許請求の範囲】
【請求項１】
建物躯体に残存した既設サッシ枠を構成する既設枠に下地材が取付けてあり、この既設サッシ枠内に挿入された新設サッシを構成する新設枠が、前記下地材に固着してあり、
前記下地材は、基板と室内側取付片と室外側取付片を備え、この室内側取付片と室外側取付片が既設枠の室内側内向板と室外側内向板との間に嵌合して支持してあることを特徴とする改装サッシ。
【請求項２】
下地材の室内側取付片は既設枠の室内側内向板の室内側面よりも室内側に突出しないと共に、室外側取付片は室外側内向板の室外側面よりも室外側に突出しないように嵌合している請求項１記載の改装サッシ。
【請求項３】
下地材の室内側取付片の室内側面に、上端面が傾斜したガイド部品が取付けてあり、このガイド部品が既設枠の室内側内向板の室外側面に接している請求項１記載の改装サッシ。
【請求項４】
下地材の室外側取付片の室外側面に接着部材が設けてあり、この接着部材が既設枠の室外側内向板の室内側面に接着している請求項１又は３記載の改装サッシ。
【請求項５】
新設枠に枠用保持部材を固着し、この枠用保持部材と既設枠の室内側内向板と下地材の室内側取付片が同一のビスで共締めして固着してある請求項１記載の改装サッシ。
【発明の詳細な説明】
【技術分野】
【０００１】
本発明は、建物躯体に残存した既設サッシ枠に新設サッシ枠を下地材を介在して取付けた改装サッシに関する。
【背景技術】
【０００２】
特許文献１に、既設サッシ枠に新設サッシ枠を下地材を介在して取付けた改装サッシが開示されている。
この改装サッシは、既設サッシ枠の既設上枠、既設縦枠に下地材をビスで固定して取付け、この各下地材に新設サッシ枠の新設上枠、新設縦枠を取付けている。
【０００３】
【特許文献１】特開２００３−３２８６４５号公報
【発明の開示】
【発明が解決しようとする課題】
【０００４】
前述した従来の下地材は断面ほぼコ字形状で、既設上枠、既設縦枠の室内側面と室外側面に対向するように嵌め込み、その下地材からビスを室内外側方向に向けて既設上枠、既設縦枠に螺合して固定することで、下地材を既設上枠、既設縦枠に取付けている。
このために、下地材を取付けるためのみにビス締め作業しなければならず、その下地材の取付け作業が面倒で時間がかかり、施工コストが高い。
【０００５】
本発明の目的は、既設サッシ枠を構成する既設枠に下地材を簡単で短時間に取付けでき、施工コストが安い改装サッシを提供することである。
【課題を解決するための手段】
【０００６】
本発明は、建物躯体に残存した既設サッシ枠を構成する既設枠に下地材が取付けてあり、この既設サッシ枠内に挿入された新設サッシを構成する新設枠が、前記下地材に固着してあり、
前記下地材は、基板と室内側取付片と室外側取付片を備え、この室内側取付片と室外側取付片が既設枠の室内側内向板と室外側内向板との間に嵌合して支持してあることを特徴とする改装サッシである。
【０００７】
前述の改装サッシにおいて、その下地材の室内側取付片は既設枠の室内側内向板の室内側面よりも室内側に突出しないと共に、室外側取付片は室外側内向板の室外側面よりも室外側に突出しないように嵌合していることが好ましい。
このようであれば、新設サッシ枠を構成する新設枠の室内外側方向の飛び出し量を小さくできる。
【０００８】
前述の改装サッシにおいて、下地材の室内側取付片の室内側面に、上端面が傾斜したガイド部品が取付けてあり、このガイド部品が既設枠の室内側内向板の室外側面に接していることが好ましい。
このようにすれば、室外側取付片を室外側内向板に接して下地材を回動することで、その下地材をスムーズに嵌合して取付けできると共に、既設枠の変形に影響を受けない。
【０００９】
前述の改装サッシにおいて、下地材の室外側取付片の室外側面に接着部材が設けてあり、この接着部材が既設枠の室外側内向板の室内側面に接着していることが好ましい。
このようにすれば、下地材の落下を防止できる。
【発明の効果】
【００１０】
この発明によれば、既設サッシ枠を構成する既設枠に下地材を簡単で短時間に取付けでき、施工コストが安い改装サッシである。
【発明を実施するための最良の形態】
【００１１】
図１と図２に示すように、建物躯体１のサッシ取付開口部２に既設サッシ枠１０が残存している。
この既設サッシ枠１０は既設上枠１１と既設下枠１２と左右の既設縦枠１３を方形枠組みしてある。
この実施の形態では建物躯体１はコンクリート製で、既設上枠１１、既設下枠１２、既設縦枠１３はアンカー等を用いて取付けてある。これに限ることはなく、建物躯体１が木製の場合には木ねじなどで取付けることができる。
前記既設サッシ枠１０内に新設サッシ枠２０が挿入してある。
前記新設サッシ枠２０は、新設上枠２１と新設下枠２２と新設縦枠２３を方形枠組みしてある。
【００１２】
前記既設サッシ枠１０を構成する既設枠に下地材３０を取付け、この下地材３０に新設サッシ枠２０を構成する新設枠が取付けてある。
この実施の形態では、既設上枠１１と既設縦枠１３に下地材３０がそれぞれ取付けてあり、その各下地材３０に新設上枠２１と新設縦枠２３がそれぞれ取付けてある。
これに限ることはなく、既設上枠１１にのみ下地材３０を取付け、その下地材３０に新設上枠２１を取付けて、新設縦枠２３は他の取付けの仕方（構造）で既設縦枠１３に取付けても良い。
また、既設縦枠１３にのみ下地材３０を取付け、その下地材３０に新設縦枠２３を取付けて、新設上枠２１は他の取付けの仕方（構造）で既設上枠１１に取付けても良い。
すなわち、既設サッシ枠１０を構成する既設枠とは、既設上枠１１と既設縦枠１３の少なくとも一方で、新設サッシ枠２０を構成する新設枠とは、新設上枠２１と新設縦枠２３の少なくとも一方である。
【００１３】
前記既設上枠１１と既設縦枠１３は室内側内向板４０と室外側内向板４１をそれぞれ備え、この室内側内向板４０と室外側内向片４１との間の寸法が各枠の室内外側方向寸法（つまり、見込み寸法）である。この実施の形態では既設上枠１１と既設縦枠１３の見込み寸法が同一で、各下地材３０は同一寸法のものを兼用できるようにしてある。これに限ることはなく、既設上枠１１と既設縦枠１３の見込み寸法が異なる場合には異なる寸法の下地材３０を用いる。
【００１４】
前記下地材３０は、室内外側方向に向かう基板３１と、この基板３１の裏面に設けた室内側取付片３２、室外側取付片３３を備えている。
そして、室内側取付片３２と室外側取付片３３を前記室内側内向板４０と室外側内向板４１との間にスナップ式に嵌合して保持することで取付けている。
前記新設上枠２１と新設縦枠２３は、ビス４２を下地材３０の基板３１に螺合して固着することで取付けられる。
【００１５】
このようであるから、下地材３０を簡単で短時間に取付けできるから、施工コストが安い。
また、下地材３０をスナップ式に嵌合する際に室内側内向片４０、室外側内向片４１が室内外側方向に弾性変形するので、その室内外側内向片４０，４１の厚さが異なる場合でも取付けできる。
また、下地材３０の室内側取付片３２が室内側内向板４０よりも室内側に突出しないし、室外側取付片３３が室外側内向板４１よりも室外側に突出しない、つまり下地材３０は既設上枠１１、既設縦枠１３の見込み寸法内で取付けてある。
よって、新設上枠２１、新設縦枠２３を取付ける際に下地材３０の室内外側取付片３２，３３が邪魔にならないので、それらの室内外側方向の飛び出し量を小さくできる。
【００１６】
なお、下地材３０の室内側取付片３２と室外側取付片３３の一方を室内側、室外側に突出してスナップ式に嵌合して取付けても良い。
【００１７】
次に、下地材３０の具体形状を図３に基づいて説明するが、この形状に限ることはない。
前記室内側取付片３２の室内側面３２ａにガイド部品３４が取付けてある。例えば、接着剤等で接着して取付けてある。
このガイド部品３４の上端面３４ａは水平に対して室外側が高く、室内側が低くなるような傾斜面で、下地材３０を嵌合して取付ける時に傾斜した上端面３４ａが室内側内向片４０の端部に接してガイドの役目を果たすから、スムーズに嵌合して取付けできると共に、既設上枠１１、既設縦枠１３の変形に影響されずに下地材３０を取付けできる。
前記下地材３０を取付けた状態ではガイド部品３４の室内側縦面３４ｂが室内側内向片４０の室外側面４０ａに接する。
【００１８】
前記下地材３０はアルミ押出形材で、前記ガイド部品３４は樹脂製である。
このようにすることで、ガイド部品３４と室内側内向片４０との摺動抵抗が低減し、よりスムーズに嵌合して取付けできる。
また、下地材３０の室内側取付片３２がガイド部品３４を一体に備えた形状とすると、その下地材３０をアルミを用いて押出成形しづらくなるが、ガイド部品３４が別体であるから下地材３０を容易に押出成形できる。
しかも、室内側取付片３２の全長に比べて短い複数のガイド部品３４を長手方向に間隔を置いて取付けることが可能であり、このようにすればガイド部品３４の上端面３４ａの面積が減少し、よりスムーズに取付けできると共に、両目のテープ３５は弾性変形するので、多少の寸法が相違しても対応可能である。
【００１９】
前記室外側取付片３３の室外側面３３ａに接着部材、例えば両面テープ３５が設けてある。
下地材３０を取付けることで、両面テープ３５が室外側内向板４１の室内側面４１ａに接着するから、下地材３０の位置ずれ、落下を防止できると共に、両面テープ３５は弾性変形するので、多少の寸法が相違しても対応可能である。
【００２０】
前記基板３１の室内外側方向の寸法が室内外側内向片４０，４１間の寸法（見込み寸法）と同一で、室内側取付片３２、室外側取付片３３は基板３１の両端面よりも内側寄りに設けてある。
これによって、下地材３０を取付けると室内外側内向片４０，４１の先端面４０ｂ，４１ｂが基板３１の裏面３１ａに当接する。
【００２１】
前述の下地材３０を取付ける作業の一例を説明する。
図４に示すように、下地材３０を斜めの姿勢として両面テープ３５を室外側内向板４１の室内側面４１ａに接すると共に、ガイド部品３４の上端面３４ａを室内側内向板４０の端部に接する。
この状態で、室外側取付片３３と室外側内向片４１との接触点を支点として下地材３０を矢印方向に回動することでガイド部品３４の上端面３４ａをガイドとして押し込んで取付ける。
【００２２】
次に、新設下枠２２の取付けの一例を説明するが、これに限るものではなく、他の任意の取付けができる。
図１に示す既設下枠１２は、室内側の縦板１２ａと室外側の横板１２ｂと室内側の横板１２ｃでほぼクランク形状で、その室外側の横板１２ｂの室内側寄りと室外側寄りにレール１４をそれぞれ備えている。つまり、室内側寄りのレール１４は内障子を走行ガイドし、室外側寄りのレール１４は外障子を走行ガイドするもので、既設サッシは引き違いサッシである。
そして、新設下枠２２は、室内側寄りの横板２２ａと縦板２２ｂと室外側寄りの横板２２ｃで断面ほぼクランク形状で、この新設下枠２２は既設下枠１２の室外側寄りのレール１４と干渉するが室内側寄りのレール１４とは干渉しないので、室内側寄りのレール１４は立ち上がったままの姿勢とし、室外側寄りのレール１４を切断して除去している。
なお、新設下枠２２が既設下枠１２の室内側寄りのレール１４とも干渉する場合には室内側寄りのレール１４も切断して除去する。
図１においては、室内側寄りのレール１４に取付け補助部材１５をビス１６で取付け、新設下枠２２の室内側寄りの横板２２ａからビス１７を取付け補助部材１５に螺合して新設下枠２２を既設下枠１２の上に取付けている。
前記レール１４は切断せずに折り曲げても良い。
【００２３】
次に、新設上枠２１の取付けを説明するが、この取付けに限ることはなく、任意の取付けができる。
前記既設上枠１１には前述のように下地材３０が取付けてある。
この下地材３０にスペーサ４３を介して新設上枠２１を接し、ビス４２で固着する。
上枠用保持部材４４の横片４４ａが新設上枠２１とスペーサ４３との間に室内側から挿入され、その横片４４ａが新設上枠２１の係合部２１ａに係合している。
前記上枠用保持部材４４の縦片（フランジ）４４ｂは、新設上枠２１の室内側部２１ｂにビス４５で固着され、既設上枠１１の室内側内向片４０にビス４６で固着してある。
前記ビス４６は下地材３０の室内側取付片３２にも螺合され、その室内側取付片３２を縦片４４ｂとともに既設上枠１１の室内側内向片４０に同一のビス４６で固着している。つまり、共締めしてある。
このビス４６はテクスビスで、縦片４４ｂの孔から室内側内向片４０、室内側取付片３２に順次螺合され、それらには孔をあらかじめ形成しなくとも良い。
なお、ビス４６を通常のビスとした場合には室内側内向片４０、室内側取付片３２にあらかじめ孔を形成する。
【００２４】
次に、新設縦枠２３の取付けを説明するが、この取付けに限ることはなく、任意の取付けができる。
前記既設縦枠１３には前述の下地材３０が取付けてある。
この下地材３０にスペーサ４７を介して新設縦枠２３を接し、ビス４２で固着する。
縦枠用保持部材４８の横片４８ａが新設縦枠２３とスペーサ４７との間に室内側から挿入され、その横片４８ａが新設縦枠２３の係合部２３ａに係合している。
前記縦枠用保持部材４８の縦片（フランジ）４８ｂは、新設縦枠２３の室内側部２３ｂにビス４９で固着され、かつ既設縦枠２３の室内側内向板４０にビス５０で固着してある。
前記ビス５０は下地材３０の室内側取付片３２にも螺合され、その室内側取付片３２を縦片４８ａとともに既設縦枠１３の室内側内向板４０に同一のビス５０で固着している。つまり、共締めしている。
このビス５０は、前述のビス４６と同様にテクスビスで、前述と同様に孔を形成しなくとも良い。
【００２５】
前記上枠用保持部材４４の縦片４４ｂ、縦枠用保持部材４８の縦片４８ｂにはカバー材５１がそれぞれ取付けてある。
この各カバー材５１に装着した気密材５２がサッシ取付開口部２の上内面２ａ（上横額縁３）、縦内面２ｂ（縦額縁４）に接し、既設上枠１１、既設縦枠１３の室内側部分を完全に覆って見えないようにしてある。
つまり、この実施の形態では上枠用保持部材４４と縦枠用保持部材４８を同一形状としてある。
前記既設下枠１２の室内側の横片１２ｃには下カバー５３が取付けてあり、この下カバー５３で既設下枠１２の室内側部分を完全に覆って見えないようにしてある。
【００２６】
前記新設上枠２１、新設下枠２２、新設縦枠２３の見込み寸法は既設上枠１１、既設下枠１２、既設縦枠１３よりも大きく、それらの室外側部２１ｃ，２２ｄ，２３ｃは各室外側内向板４１、室外側部１２ｄよりも室外側に突出している。
そして、新設上枠２１の室外側部２１ｃに上アタッチメント５４をビス５５で取付け、この上アタッチメント５４を既設上枠１１の室外側内向板４１に当接すると共に、上気密材５６を設け、その上気密材５６をサッシ取付開口部２の上内面２ａに接して既設上枠１１の室外側部を完全に覆って見えないようにしてある。
図２に示すように、新設縦枠２３の室外側部２３ｃに縦アタッチメント５７をビス５８で取付け、この縦アタッチメント５７を既設縦枠１３の室外側内向板４１に当接すると共に縦気密材５９を設け、この縦気密材５９をサッシ取付開口部２の縦内面２ｂに接して既設縦枠１３の室外側部を完全に覆って見えないようにしてある。
【００２７】
次に、見込み寸法の同一の新設サッシ枠２０を、見込み寸法の異なる既設サッシ枠１０に取付ける方法について説明する。
図１と図２は新設サッシ枠２０を見込み寸法の小さな既設サッシ枠１０に取付けた場合である。
前述と同一見込み寸法の新設サッシ枠２０を見込み寸法の大きな既設サッシ枠１０に取付ける場合には、例えば図５、図６に示すようにして取付ける。
すなわち、図５と図６に示すように下地材３０の基板３１の室内外側方向の寸法を既設上枠１１、既設縦枠１３の見込み寸法に合わせて大きくし、室内側取付片３２、室外側取付片３３を室内側内向板４０、室外側内向板４１間に嵌合して支持して取付ける。
図５に示すように、新設上枠２１の室外側部２１ｃを既設上枠１１の室外側内向板４１の室外側面に当接し、新設上枠２１の室内側部２１ｂと既設上枠１１の室内側内向板４０との室内外側方向の位置関係を図１、図２に示す新設上枠２１と同様とする。
これによって、図１に示す上枠用保持部材４４と同じものを用いて新設上枠２１を既設上枠１１に取付けできる。
【００２８】
そして、新設上枠２１の室外側部２１ｃの室外側面に上アタッチメント６０をビス６１で取付け、この上アタッチメント６０に設けた上気密材６２をサッシ取付開口部２の上内面２ａに接して既設上枠１１の室外側部を完全に覆って見えなくする。
この場合には、ビス６１が室外側から見えるので、その上アタッチメント６０にビスカバー６３を上向きのビス６４で取付けてビス６１が見えないようにする。
【００２９】
図６に示すように、新設縦枠２３の室外側部２３ｃに縦アタッチメント７０をビス７１で取付け、その縦アタッチメント７０を既設縦枠１３の室外側内向板４１の室外側面に当接し、新設縦枠２３の室内側部２３ｂと既設縦枠１３の室内側内向板４０との室内外側方向の位置関係を図２に示す新設上枠２１と同様とする。
これによって、図２に示す縦枠用保持部材４８と同じものを用いて新設縦枠２３を既設縦枠２１に取付けできる。
そして、前記縦アタッチメント７０に設けた縦気密材７２をサッシ取付開口部２の縦内面２ｂに接して既設縦枠１３の室外側部を完全に覆って見えなくする。
【００３０】
前述のようにすることで、見込み寸法の同一の新設サッシ枠２０を見込み寸法の大きな既設サッシ枠１０、見込み寸法の小さな既設サッシ枠１０に取付けできる。
なお、見込み寸法の異なる既設サッシ枠１０に同一の見込み寸法の新設サッシ２０を前述のように取付けるだけであれば、下地材３０は前述のように取付ける必要はなく、従来と同様に取付けても良い。
【００３１】
次に、新設サッシ枠２０の取付け方法の一例を説明する。
既設下枠１２の室外側のレール１４を切断して除去し、室内側のレール１４に取付け補助部材１５をビス１６で固着して取付ける。
既設上枠１１、既設縦枠１３に下地材３０を取付ける。
枠組みすると共に、上アタッチメント５４、縦アタッチメント５７を取付けした新設サッシ枠２０を室外側から既設サッシ枠１０内に挿入し、新設下枠２２を取付け補助部材１５に載置して上下方向の位置を決め、上アタッチメント５４、縦アタッチメント５７を既設上枠１１、既設縦枠１３の室外側内向片４１に当接して室内外側方向の位置を決める。
この状態で、下地材３０と新設上枠２１との間及び下地材３０と新設縦枠２３との間に隙間があれば、それぞれの間にスペーサ４３，４７を室内側から挿入して取付ける。
【００３２】
上枠用保持部材４４、縦枠用保持部材４８を室内側から新設上枠２１、新設縦枠２３とスペーサ４３，４７との間に挿入すると共に、ビス止めして取付ける。
新設上枠２１、新設下枠２２、新設縦枠２３をビスで固定する。
最後に、カバー材５１と下カバー５３を取付ける。
【図面の簡単な説明】
【００３３】
【図１】改装サッシの縦断面図である。
【図２】改装サッシの横断面図である。
【図３】下地材の取付状態の拡大断面図である。
【図４】下地材の取付け方の説明図である。
【図５】見込み寸法の異なる改装サッシの縦断面図である。
【図６】見込み寸法の異なる改装サッシの横断面図である。
【符号の説明】
【００３４】
１…建物躯体、１０…既設サッシ枠、１１…既設上枠、１２…既設下枠、１３既設縦枠、２０…新設サッシ枠、２１…新設上枠、２２…新設下枠、２３…新設縦枠、３０…下地材、３１…基板、３２…室内側取付片、３３…室外側取付片、３４…ガイド部品、３４ａ…上端面、３５…両面テープ（接着部材）、４０…室内側内向板、４１…室外側内向板。
【図１】
2005282054.tif 000003
【図２】
2005282054.tif 000004
【図３】
2005282054.tif 000005
【図４】
2005282054.tif 000006
【図５】
2005282054.tif 000007
【図６】
2005282054.tif 000008